(57)【要約】      （修正有）【課題】プレートに設けられた孔に紐を取り付けることなく効率的に製作できるようにした装飾用タグを提供する。【解決手段】装飾用タグは、装飾的な形状を有する装飾部分と、該装飾部分に形成され、前記装飾部分から上方へ伸びる紐状部分とからなるシート片を含む。前記シート片は、合成繊維シートをレーザー光線により切断することによって形成されている。他の装飾用タグは、装飾的な形状を有する装飾部分と、該装飾部分に形成され、前記装飾部分から上方へ伸びる紐状部分とからなる第１シート片と、該第１シート片の前記装飾部分に接着された、前記第１シート片に平行な第２シート片とを含む。【選択図】図１
0003144600.tif 000002
【実用新案登録請求の範囲】
【請求項１】
装飾的な形状を有する装飾部分と、該装飾部分に形成され、前記装飾部分から上方へ伸びる紐状部分とからなるシート片を含む、装飾用タグ。
【請求項２】
前記シート片は、合成繊維シートをレーザー光線により切断することによって形成されている、請求項１に記載の装飾用タグ。
【請求項３】
装飾的な形状を有する装飾部分と、該装飾部分に形成され、前記装飾部分から上方へ伸びる紐状部分とからなる第１シート片と、該第１シート片の前記装飾部分に接着された、前記第１シート片に平行な第２シート片とを含む、装飾用タグ。
【請求項４】
前記第１シート片の前記紐状部分は、第１合成繊維シート及び該第１合成繊維シートの一部に接着された第２合成繊維シートにおける前記第１合成繊維シートの他の一部をレーザー光線により切断することによって形成されており、
前記第１シート片の前記装飾部分及び前記第２シート片は、前記第１合成繊維シートの前記一部及びこれに接着された前記第２合成繊維シートをレーザー光線により切断することによって形成されている、請求項３に記載の装飾用タグ。
【請求項５】
前記紐状部分は、互いに平行な２つの第１切断部分及び該第１切断部分の間に位置する第２切断部分からなる上方に突なＵ字状の第１切断線と、該第１切断線の前記第１切断部分の間にあって該第１切断部分に平行な第２切断線とにより規定されている、請求項２又は４に記載の装飾用タグ。
【考案の詳細な説明】
【技術分野】
【０００１】
本考案は、装飾用タグに関する。
【背景技術】
【０００２】
従来、鞄、携帯電話、クリスマスツリー等のような被装飾体を装飾するために装飾用タグが用いられている。前記装飾用タグは、装飾的な図形や文字が付されたプレートと、該プレートに設けられた孔と、該孔に取り付けられた紐とを有する。前記被装飾体を装飾するとき、該被装飾体に前記紐を取り付けて前記被装飾体に前記装飾用タグを吊り下げる。
【特許文献１】実登３１３９０７４号公報
【考案の開示】
【考案が解決しようとする課題】
【０００３】
ところで、前記装飾用タグを製作するとき、前記孔に前記紐を取り付けなければならない。このため、前記孔に前記紐を取り付けることに多くの手間や時間を要する。
【０００４】
本考案の目的は、プレートに設けられた孔に紐を取り付けることなく装飾用タグを効率的に製作できるようにすることである。
【課題を解決するための手段】
【０００５】
本考案は、装飾用タグが、装飾的な形状を有する装飾部分と、これに形成された紐状部分とからなるシート片を含む。これにより、プレートに設けられた孔に紐を取り付けることなく装飾用タグを効率的に製作できるようにする。
【０００６】
本考案に係る装飾用タグは、装飾的な形状を有する装飾部分と、該装飾部分に形成され、前記装飾部分から上方へ伸びる紐状部分とからなるシート片を含む。被装飾体を装飾するとき、該被装飾体に前記紐状部分を取り付けて前記被装飾体に前記装飾用タグを吊り下げる。前記装飾部分は前記被装飾体を装飾する。前記装飾部分に前記紐状部分が一体に形成されているため、プレートに設けられた孔に紐を取り付けることなく装飾用タグを効率的に製作することができる。
【０００７】
前記シート片は、合成繊維シートをレーザー光線により切断することによって形成されている。前記紐状部分は、互いに平行な２つの第１切断部分及び該第１切断部分の間に位置する第２切断部分からなる上方に突なＵ字状の第１切断線と、該第１切断線の前記第１切断部分の間にあって該第１切断部分に平行な第２切断線とにより規定されている。
【０００８】
本考案に係る他の装飾用タグは、装飾的な形状を有する装飾部分と、該装飾部分に形成され、前記装飾部分から上方へ伸びる紐状部分とからなる第１シート片と、該第１シート片の前記装飾部分に接着された、前記第１シート片に平行な第２シート片とを含む。前記第１シート片の前記装飾部分に前記第２シート片が接着されているため、前記装飾部分は、前記第２シート片により補強され、前記装飾部分の形状を保持しやすい。
【０００９】
前記第１シート片の前記紐状部分は、第１合成繊維シート及び該第１合成繊維シートの一部に接着された第２合成繊維シートにおける前記第１合成繊維シートの他の一部をレーザー光線により切断することによって形成されており、前記第１シート片の前記装飾部分及び前記第２シート片は、前記第１合成繊維シートの前記一部及びこれに接着された前記第２合成繊維シートをレーザー光線により切断することによって形成されている。
【考案の効果】
【００１０】
本考案によれば、装飾用タグが、装飾部分と、該装飾部分に形成された紐状部分とからなるシート片を含むため、プレートに設けられた孔に紐を取り付けることなく装飾用タグを効率的に製作することができる。
【考案を実施するための最良の形態】
【００１１】
図１に示すように、鞄、携帯電話、クリスマスツリー等のような被装飾体（図示せず）を装飾するために装飾用タグ１０が用いられる。装飾用タグ１０は、装飾的な形状を有する装飾部分１２と、該装飾部分に形成され、装飾部分１２から上方へ伸びる紐状部分１４とからなるシート片１６を含む。
【００１２】
装飾部分１２は、図１に示した例では、クリスマスツリーの形状を有する。装飾部分１２に、クリスマスツリーの飾りを表す複数の穴１８が設けられている。紐状部分１４に、上下方向に伸びるスリット２０が設けられている。
【００１３】
シート片１６は、ポリエステル繊維のような合成繊維からなる。シート片１６は、合成繊維シート（図示せず）をレーザー光線により切断することによって形成されている。シート片１６は、ポリエステル繊維からなる上記の例に代え、他の合成繊維からなるものでもよい。
【００１４】
前記被装飾体を装飾するとき、該被装飾体に紐状部分１４を取り付けて前記被装飾体に装飾用タグ１０を吊り下げる。例えば、クリスマスツリー（図示せず）を装飾するとき、スリット２０を水平方向に広げて該スリットに前記クリスマスツリーの枝を通し、該枝に紐状部分１４を掛ける。このようにして前記枝に紐状部分１４を取り付け、前記クリスマスツリーに装飾用タグ１０を吊り下げる。
【００１５】
装飾部分１２に紐状部分１４が一体に形成されているため、プレートに設けられた孔に紐を取り付けることを要しない。このため、装飾用タグを効率的に製作することができる。
【００１６】
紐状部分１４は、互いに平行な２つの第１切断部分２２ａ及び該第１切断部分の間に位置する第２切断部分２２ｂからなる上方に突なＵ字状の第１切断線２２と、該第１切断線の第１切断部分２２ａの間にあって該第１切断部分に平行な第２切断線２４とにより規定されている。スリット２０は第２切断線２４からなる。第２切断線２４は、第１切断線２２の第１切断部分２２ａに平行である図１に示した例に代え、第１切断線２２に平行なＵ字形を呈するもの（図示せず）でもよい。
【００１７】
ところで、第２切断線２４が第１切断線２２の第１切断部分２２ａに平行である場合、第２切断線２４の長さは第１切断部分２２ａの長さとほぼ等しい。これに対して、第２切断線２４が第１切断線２２に平行なＵ字形を呈する場合、第２切断線２４の長さは第１切断線２２の全部の長さとほぼ等しい。このため、第２切断線２４が第１切断線２２の第１切断部分２２ａに平行である場合、第２切断線２４が第１切断線２２に平行なＵ字形を呈する場合と比べて、第２切断線２４の長さは短く、第２切断線２４の形成に要する手間が少ない。このため、紐状部分１４を効率的に形成することができる。
【００１８】
シート片１６は、合成繊維からなる図１に示した例に代え、紙、フィルム、不織布又は天然繊維のような他の材料からなるものでもよい。シート片１６は、前記他の材料からなるシートを打ち抜くことによって形成されていてもよい。
【００１９】
図２、３に示す例では、装飾用タグ１０は、装飾的な形状を有する装飾部分１２と、該装飾部分に形成され、装飾部分１２から上方へ伸びる紐状部分１４とからなる第１シート片１６と、該第１シート片の装飾部分１２に接着された、第１シート片１６に平行な第２シート片２６とを含む。
【００２０】
第１シート片１６の装飾部分１２に第２シート片２６が接着されているため、装飾部分１２は、第２シート片２６により補強され、装飾部分１２の形状を保持しやすい。第１シート片１６の紐状部分１４に第２シート片２６が接着されていないため、紐状部分１４は比較的柔軟であり、前記被装飾体に紐状部分１４を取り付けるときに前記被装飾体の形状に応じて紐状部分１４を変形させることができる。このため、前記被装飾体への紐状部分１４の取り付け時における作業性がよい。
【００２１】
第１シート片１６の紐状部分１４は、第１合成繊維シート（図示せず）及び該第１合成繊維シートの一部に接着された第２合成繊維シート（図示せず）における前記第１合成繊維シートの他の一部をレーザー光線により切断することによって形成されており、第１シート片１６の装飾部分１２及び第２シート片２６は、前記第１合成繊維シートの前記一部及びこれに接着された前記第２合成繊維シートをレーザー光線により切断することによって形成されている。
【００２２】
装飾用タグ１０を製作するとき、まず、前記第１合成繊維シート及び該第１合成繊維シートの一部に接着された前記第２合成繊維シートを用意する。次に、前記第１合成繊維シートの前記一部及びこれに接着された前記第２合成繊維シートをレーザー光線により切断することによって第１シート片１６の装飾部分１２及び第２シート片２６を形成し、前記第１合成繊維シートの他の一部をレーザー光線により切断することによって第１シート片１６の紐状部分１４を形成する。このとき、第１シート片１６の装飾部分１２及び第２シート片２６を形成した後、第１シート片１６の紐状部分１４を形成してもよいし、第１シート片１６の紐状部分１４を形成した後、第１シート片１６の装飾部分１２及び第２シート片２６を形成してもよい。
【００２３】
装飾部分１２の形状は、クリスマスツリーの形状である図１、２に示した例に代え、図４に示すように、動物の形状でもよいし、これに代え、星形、円形、多角形、植物の形状、漫画のキャラクターの形状等でもよい。
【００２４】
紐状部分１４に、上下方向に伸びるスリット２０が設けられている上記の例に代え、スリット２０が設けられていなくてもよい。この場合、前記被装飾体に紐状部分１４を取り付けるとき、前記被装飾体に紐状部分１４を結び付ける。
【００２５】
装飾部分１２に、スリットが設けられていない紐状部分に加えて、装飾部分１２から上方へ伸びる、スリットが設けられていない他の紐状部分（図示せず）が形成されていてもよい。この場合、前記被装飾体に前記紐状部分を取り付けるとき、前記紐状部分の上端部及び前記他の紐状部分の上端部を結んで前記紐状部分と前記他の紐状部分とを結合し、結合した前記紐状部分及び前記他の紐状部分を前記被装飾体に掛ける。
【図面の簡単な説明】
【００２６】
【図１】本考案の第１実施例に係る装飾用タグの正面図。
【図２】本考案の第２実施例に係る装飾用タグの正面図。
【図３】図２の線３における装飾用タグの断面図。
【図４】本考案の第３実施例に係る装飾用タグの正面図。
【符号の説明】
【００２７】
１０    装飾用タグ
１２    装飾部分
１４    紐状部分
１６    シート片（第１シート片）
２２ａ    第１切断部分
２２ｂ    第２切断部分
２２    第１切断線
２４    第２切断線
２６    第２シート片
【図１】
0003144600.tif 000003
【図２】
0003144600.tif 000004
【図３】
0003144600.tif 000005
【図４】
0003144600.tif 000006